(57)【要約】【課題】  本発明は、耐久性と装飾性を兼ね備えるとともに、製造工程を簡略化できる耳用装身具を提供することにある。【解決手段】  耳に取り付ける耳用装身具であって、支持部材１と保持部材２とを備えており、支持部材１は、耳Ｅの外周部に沿う彎曲した形状をなしており、保持部材２は、支持部材１に沿って摺動自在に取り付けてあるとともに、耳Ｅに当る箇所が球面Ｐに形成してあることを特徴とする。【選択図】      図１
2017148123.tif 000002
【特許請求の範囲】
【請求項１】
耳に取り付ける耳用装身具であって、
支持部材と保持部材とを備えており、支持部材は、耳の外周部に沿う彎曲した形状をなしており、保持部材は、支持部材に沿って摺動自在に取り付けてあるとともに、耳に当る箇所が球面に形成してあることを特徴とする耳用装身具。
【請求項２】
支持部材は、中間部が耳に向けて彎曲していることを特徴とする請求項１記載の耳用装身具。
【請求項３】
保持部材は、内部に弾性体を有しており、支持部材の外周部を押圧して位置決めすることを特徴とする請求項１又は２記載の耳用装身具。
【請求項４】
支持部材は、ガイド部が設けてあり、ガイド部に沿って保持部材が摺動自在に取り付けてあることを特徴とする請求項１、２又は３記載の耳用装身具。
【発明の詳細な説明】
【技術分野】
【０００１】
本発明は、イアリングやピアスなどに代表される耳用装身具に関するものである。
【背景技術】
【０００２】
イアリングやピアスは、耳に装着する装身具として広く知られている。また、耳用の装身具の一般的な構造は、耳たぶの外周を覆う一方部材と、その一方部材の外周部に設けてあるとともに宝石等の装飾物を固定する他方部材とから開閉自在な開閉部が構成されている。
【先行技術文献】
【特許文献】
【０００３】
【特許文献１】特開２００４−９７５３１号公報
【発明の概要】
【発明が解決しようとする課題】
【０００４】
上記のような耳用装身具にあっては、開閉部で耳たぶを挟み込む構造であり、バネなどの劣化等の原因で挟み込む力が弱まったときには、耳たぶから外れやすくなるので、紛失等のおそれがあった。さらに、耳からの外れにくさを重視して開閉部で挟み込む力を強く設定したときには、耳用装身具の装着時に痛みや不快感を覚えることから、バネの調整が非常に難しいものであった。
【０００５】
本発明は、上記課題を鑑みてなされたものであり、耳への装着感がよく、しかも、長期間の使用でも外れにくい耳用装身具を提供することにある。
【課題を解決するための手段】
【０００６】
本発明のうち請求項１記載の発明は、耳に取り付ける耳用装身具であって、支持部材と保持部材とを備えており、支持部材は、耳の外周部に沿う彎曲した形状をなしており、保持部材は、支持部材に沿って摺動自在に取り付けてあるとともに、耳に当る箇所が球面に形成してあることを特徴とする。
【０００７】
本発明のうち請求項２記載の発明は、支持部材は、中間部が耳に向けて彎曲していることを特徴とする。
【０００８】
本発明のうち請求項３記載の発明は、保持部材は、内部に弾性体を有しており、支持部材の外周部を押圧して位置決めすることを特徴とする。
【０００９】
本発明のうち請求項４記載の発明は、支持部材は、ガイド部が設けてあり、ガイド部に沿って保持部材が摺動自在に取り付けてあることを特徴とする。
【発明の効果】
【００１０】
本発明のうち請求項１記載の発明によれば、保持部材が耳に当る箇所が球面に形成してあることにより、支持部材に沿って保持部材を摺動し、楔のように耳を次第に押圧して保持するが、保持部材の球面が耳に当って痛みを伴わない。
【００１１】
本発明のうち請求項２記載の発明によれば、支持部材の中間部が耳に向けて彎曲していることにより、保持部材を摺動して支持部材の中間部にある彎曲部に位置させたときに、耳たぶの柔らかい部分に保持部材が優先的に位置する。これにより、支持部材が耳に極力触らない状態となることから、耳用装飾品を耳に取り付けたときの装着感が向上する。
【００１２】
本発明のうち請求項３記載の発明によれば、保持部材の弾性部材が弾性復帰して支持部材を押圧することにより、摺動した任意の位置で保持部材を位置決めすることができる。
【００１３】
本発明のうち請求項４記載の発明によれば、支持部材の長手方向に沿って設けてある溝部に保持部材を取り付けることにより、保持部材が溝部に沿って安定して摺動する。これにより、保持部材が耳たぶの所定の位置を正確に押圧し、耳用装身具の取り付け具合が安定する。
【図面の簡単な説明】
【００１４】
【図１】本実施による耳用装身具を示す装着時を基準とした正面図である。
【図２】本実施による耳用装身具を示す装着時を基準とした（ａ）は、耳外側から見た側面図であり、（ｂ）は、耳内側から見た側面図である。
【図３】本実施による耳用装身具を構成する支持部材を示す（ａ）は、正面図であり、（ｂ）（ｃ）は、保持部材を取り付けるときの施工手順を示す正面図である。
【図４】本実施による耳用装身具を構成する保持部材を示す（ａ）は、側面図であり、（ｂ）は、（ａ）のＡ−Ａ線断面図である。
【図５】（ａ）〜（ｃ）は、本実施による耳用装身具を耳たぶに装着するときの手順を示す正面図である。
【図６】本発明の耳用装身具の他の実施形態を示す（ａ）は、保持部材を支持部材に沿って摺動したときの正面図であり、（ｂ）は、側面図である。
【発明を実施するための形態】
【００１５】
以下に、図面に基づいて本実施による耳用装身具について説明する。
本実施による耳用装身具は、図１と図２（ａ）（ｂ）のように、プラチナ（Ｐｔ）や金（Ａｕ）、銀（Ａｇ）等の貴金属、あるいはチタン（Ｔｉ）等の金属製の棒材をＵ字状に曲げ加工した支持部材１と、球状に形成した保持部材２とから構成してある。
【００１６】
支持部材１は、図３（ａ）（ｂ）のように、上記のように貴金属または金属製（本実施のものでは銀（Ａｇ）合金を使用）で比較的径の細い丸棒を加工して使用している。そして、上記した丸棒の延伸方向の一端側に膨大状をなす抜け止め４を有し、さらに、延伸方向の他端側には宝石等の装飾物５を取り付けるためのネジ状の取付部３を有している。また、支持部材１は、図１と図３（ａ）を参照すれば、全体をほぼＵ字状に曲げ加工してあり、そのＵ字の内周側に耳たぶ（耳）Ｅを差し込むスペースＳが形成してある。さらに、全体がほぼＵ字状をなす支持部材１の抜け止め４を有する側は、支持部材１の延伸方向の中間部が内周側に向けて彎曲する中間彎曲部１ａを設けてある。また、支持部材１の抜け止めは、図３（ｂ）のように、支持部材１に保持部材を取り付けた後に、端縁部１ｂを変形させて形成する。
【００１７】
保持部材２は、図４（ａ）（ｂ）のように、中空の貴金属あるいは金属製の球体６と、その球体６の内部に筒状をなすシリコン製の弾性体７を圧入したものである。また、上記の球体６には外周壁の対向する二箇所に挿通孔８，８が設けてあり、それぞれの挿通孔８，８が筒状の弾性体７の筒孔７ａと一致するように配置してある。
【００１８】
上記のように支持部材１と保持部材２を構成することにより、本実施による耳用装身具は、以下に示す作用、効果を奏することになる。
図５（ａ）〜（ｃ）のように、保持部材２を支持部材１に沿って摺動し、支持部材１の任意の位置で保持部材２の摺動を止めたときに、図４（ｂ）もあわせて参照すれば、保持部材２の球体６の内部にある弾性体７が支持部材１の外周部を押圧するので、その位置で保持部材２を位置決めできる。これにより、支持部材１を耳たぶＥの外周部に被せ、保持部材２を支持部材１に沿って摺動することにより、使用者の耳たぶＥの大きさや形状にあわせて保持部材２で保持する位置を調整して耳用装身具を装着できる。さらに、保持部材２の外周部が球面Ｐに形成してあることから、耳たぶＥに対して柔らかく当たるので、本実施による耳用装身具を装着したときに痛くならず、長時間身に着けることができる。さらに、支持部材１の中間部が内向きに彎曲して中間彎曲部１ａを有していることから、保持部材２が上記の中間彎曲部１ａに沿って摺動したときに、保持部材２が支持部材１の他の部位よりも優先して耳たぶＥに接近する。このことから、本実施による耳用装身具を耳たぶＥに装着したときに、支持部材１が耳たぶＥに触りにくくなり、耳用装身具の装着時の不快感が解消される。
【００１９】
本発明による耳用装身具の他の実施形態として、図６（ａ）（ｂ）示すものである。
本実施による耳用装身具は、支持部材１における保持部材２が摺動する箇所にガイド部９が設けてある。ガイド部９は、支持部材１の一部が支持部材１の延伸方向に長いリング状の部位となっており、そのリングの孔を利用して保持部材２の外周側部を挟み込み、リング孔により形成されるガイド部９に沿って保持部材２を摺動するものである。そして、本実施による保持部材２は、円盤形状をなしており、その外周部の全周に亘って窪みを有している。さらに、保持部材２には球状の凹みを有しており、この凹状の球面Ｐが耳たぶＥに当たる箇所となる。上記のように形成すると、保持部材２がガイド部９に食い込み、これにより、支持部材１のリング状の箇所が案内して保持部材２をガイド部９に沿って摺動させることができるとともに、保持部材２の弾性により摺動を止めた位置での位置決めができる。尚、保持部材の球状をなす箇所については、凸状に膨らんだ球面Ｐであってもよい。
【００２０】
本発明の耳用装身具は、上記の各実施形態で開示したもの以外に、特許請求の範囲内であれば適宜変更することができる。
支持部材１は、使用者の耳たぶ（耳）Ｅの外周部を囲む状態で取り付けることのできる形状であれば、上記したほぼＵ字状をなすものに限らず、ほぼコ字型のもの等でもよい。保持部材２は、耳たぶ（耳）Ｅと当たる箇所が凹凸いずれかの球状をなしていればよく、上記実施形態で開示した球体のように全体が球面Ｐで形成されるものや、一部に球面Ｐを有するものでもよい。また、保持部材２の中には弾性体７が配置してあるが、シリコンの他のものでもよく、支持部材１に当接したときに摩擦抵抗の大きなものであればよい。
【符号の説明】
【００２１】
１  支持部材
１ａ  中間彎曲部
１ｂ  端縁部
２  保持部材
３  取付部
４  抜け止め
５  装飾物
６  球体
７  弾性体
７ａ  筒孔
８  挿通孔
９  ガイド部
Ｅ  耳たぶ（耳）
Ｐ  球面
Ｓ  スペース
【図１】
2017148123.tif 000003
【図２】
2017148123.tif 000004
【図３】
2017148123.tif 000005
【図４】
2017148123.tif 000006
【図５】
2017148123.tif 000007
【図６】
2017148123.tif 000008